(57)【要約】【課題】プライベート画像の流出や不正な画像取得による防犯機能の低下などを抑止して、IoTにおけるセキュリティ対策を強化する、意図しない画像が取り込まれて保存される可能性を排除すると共に、周囲から見て電子機器のカメラ機能が働いていないこと明確にする。【解決手段】カメラモジュールを電子機器の筐体内に収容して遮蔽する機構であって、カメラモジュールを支持する支持部材と、支持部材をスライド自在に支持するスライド支持部と、支持部材をカメラモジュールが筐体から突出する方向に付勢する付勢部材と、支持部材をカメラモジュールが筐体内に収容された状態で係止する係止部材と、係止部材による係止を解除するアクチュエータとを備える。【選択図】図１
2020140084.tif 000002
【特許請求の範囲】
【請求項１】
カメラモジュールを電子機器の筐体内に収容して遮蔽する機構であって、
カメラモジュールを支持する支持部材と、
前記支持部材をスライド自在に支持するスライド支持部と、
前記カメラモジュールが前記筐体から突出する方向に前記支持部材を付勢する付勢部材と、
前記カメラモジュールが前記筐体内に収容された状態で前記支持部材を係止する係止部材と、
前記係止部材による係止を解除するアクチュエータとを備えることを特徴とするカメラモジュール遮蔽機構。
【請求項２】
前記支持部材が、前記カメラモジュールのレンズ光軸の向きが維持されるようにスライドすることを特徴とする請求項１記載のカメラモジュール遮蔽機構。
【請求項３】
前記スライド支持部が、前記アクチュエータを支持するベース部材に設けられ、
前記支持部材が、前記ベース部材の平板面に沿ってスライドすることを特徴とする請求項１記載のカメラモジュール遮蔽機構。
【請求項４】
前記ベース部材には、前記カメラモジュールが収容される収容部が設けられていることを特徴とする請求項３記載のカメラモジュール遮蔽機構。
【請求項５】
前記ベース部材には、マイクが支持され、
前記支持部材が、前記カメラモジュールの収容時に前記マイクの収音部を覆う遮音部を備えることを特徴とする請求項４記載のカメラモジュール遮蔽機構。
【請求項６】
筐体と、カメラモジュールと、前記筐体内に前記カメラモジュールを収容して遮蔽する遮蔽機構とを備え、
前記遮蔽機構が、
前記カメラモジュールを支持する支持部材と、
前記支持部材をスライド自在に支持するスライド支持部と、
前記カメラモジュールが前記筐体から突出する方向に前記支持部材を付勢する付勢部材と、
前記カメラモジュールが前記筐体内に収容された状態で前記支持部材を係止する係止部材と、
前記係止部材による係止を解除するアクチュエータとを備えることを特徴とする電子機器。
【発明の詳細な説明】
【技術分野】
【０００１】
本発明は、カメラモジュール遮蔽機構及びこれを備える電子機器に関する。
【背景技術】
【０００２】
近年の電子機器は、取得した画像を処理・保存・送信する機能を備えるものが多く、画像取得のためにカメラモジュールを備えるものが一般化している。カメラモジュールを備える電子機器は、一般に、レンズとイメージセンサを具備するカメラモジュールが電子機器の筐体内に配置されており、電子機器の筐体に形成された開口部からレンズが露出する状態になっている（下記特許文献１参照）。
【先行技術文献】
【特許文献】
【０００３】
【特許文献１】国際公開ＷＯ２０１５／０４１０６６号公報
【発明の概要】
【発明が解決しようとする課題】
【０００４】
近年の電子機器は、「IoT：Internet of Things（モノのインターネット）」という言葉で表現されているように、ネットワークに接続された状態で使用するものが多くなってる。IoTにおいて、電子機器は、常にクラッキング（悪意のあるハッキング）やサイバー攻撃の危機に曝されていると言え、そのためのセキュリティー対策が不可欠になっている。
【０００５】
カメラモジュールを備える電子機器は、前述したように、カメラモジュールに光を取り込むレンズ開口が常に開放された状態になっているので、IoTにおいて、悪意の外部操作でカメラ機能が作動されると、プライベート画像の流出や不正な画像取得による防犯機能の低下などと言った問題が生じる。
【０００６】
また、IoTと切り離した場合にも、カメラモジュールのレンズ開口が常に開放されていると、携帯用電子機器などでは、意図しない画像が取り込まれて保存されてしまう可能性があり、このようなことになると、盗撮の疑いを掛けられるといった事態になりかねない問題が生じる。また、実際に画像が取り込まれることが無くても、カメラモジュールのレンズ開口が開放された状態になっていることで、周囲から盗撮されているのではないかという、あらぬ疑いをかけられるといった問題があった。
【０００７】
本発明は、このような問題に対処するために提案されたものである。すなわち、カメラモジュールを備える電子機器において、プライベート画像の流出や不正な画像取得による防犯機能の低下などを抑止して、IoTにおけるセキュリティ対策を強化すること、意図しない画像が取り込まれて保存される可能性を排除すると共に、周囲から見て電子機器のカメラ機能が働いていないことを明確にすること、などが本発明の課題である。
【課題を解決するための手段】
【０００８】
このような課題を解決するために、本発明は、以下の構成を具備するものである。
カメラモジュールを電子機器の筐体内に収容して遮蔽する機構であって、カメラモジュールを支持する支持部材と、前記支持部材をスライド自在に支持するスライド支持部と、前記カメラモジュールが前記筐体から突出する方向に前記支持部材を付勢する付勢部材と、前記カメラモジュールが前記筐体内に収容された状態で前記支持部材を係止する係止部材と、前記係止部材による係止を解除するアクチュエータとを備えることを特徴とするカメラモジュール遮蔽機構。
【図面の簡単な説明】
【０００９】
【図１】本発明の実施形態に係るカメラモジュール遮蔽機構を示す説明図（（ａ）が平面図、（ｂ）がＡ−Ａ断面図）。
【図２】本発明の実施形態に係るカメラモジュール遮蔽機構の説明図（係止解除状態）。
【図３】本発明の実施形態に係るカメラモジュール遮蔽機構の説明図（カメラモジュール突出状態）。
【図４】カメラモジュール遮蔽機構を備えた電子機器の外観図（（ａ）がカメラモジュール突出状態、（ｂ）がカメラモジュール収容（遮蔽）状態）。
【発明を実施するための形態】
【００１０】
以下、図面を参照して本発明の実施形態を説明する。以下の説明で、異なる図における同一符号は同一機能の部位を示しており、各図における重複説明は適宜省略する。
【００１１】
図１において、カメラモジュール１０は、電子機器の筐体１内に収容されることで、遮蔽された状態になる。カメラモジュール１０の遮蔽機構は、カメラモジュール１０を支持する支持部材１１と、支持部材１１をスライド自在に支持するスライド支持部１２と、支持部材１１を一方向に付勢する付勢部材１３と、支持部材１１を係止する係止部材１４と、係止部材１４による係止を解除するアクチュエータ１５と、遮蔽機構を平面的に覆うカバー１６を備えている。
【００１２】
電子機器の筐体１は、カメラモジュール１０を内部に収容するための収容口１Ａを備えており、収容口１Ａの内側には、カメラモジュール１０が収容される収容空間が確保されている。図示の例では、カメラモジュール１０の天面部１０Ａが筐体１の収容口１Ａの開口端と面一状態になるように、筐体１内にカメラモジュール１０が収容される。
【００１３】
カメラモジュール１０を支持する支持部材１１は、平板状部材であり、同じく平板状の部材であるベース部材２０に設けられたスライド支持部１２によって、スライド自在に支持されている。スライド支持部１２は、支持部材１１のスライド方向に沿って延設された溝１２Ａとこの溝１２Ａに係合する突起１２Ｂを備えている。突起１２Ｂは、支持部材１１に取り付けられており、突起１２Ｂが溝１２Ａに沿って移動することで、支持部材１１が溝１２Ａの延設方向に沿ってスライドする。なお、他の実施例では、溝１２Ａの少なくとも１つが支持部材１１に設けられ、突起１２Ｂの少なくとも１つがベース部材２０に設けられてもよい。
【００１４】
付勢部材１３は、バネ或いはゴムなどの弾性部材で形成され、カメラモジュール１０が筐体１から突出する方向に、支持部材１１を付勢している。支持部材１１は、筐体１の内部で係止部材１４によって係止されていない状態になると、付勢部材１３の付勢力（弾性力）が働いて、カメラモジュール１０を収容口１Ａから突出させる。付勢部材１３の付勢方向は、スライド支持部１２の溝１２Ａの延設方向と平行又は一致している。付勢部材１３の一端部１３Ａは、ベース部材２０の突起２１に取り付けられており、付勢部材１３の他端部１３Ｂは、支持部材１１の突起部１１Ａに取り付けられている。
【００１５】
係止部材１４は、カメラモジュール１０が筐体１内に収容された状態で、支持部材１１を係止する。支持部材１１には、支持部材１１のスライド方向と交差する方向に突起する係止突起部１１Ｂが設けられており、係止部材１４は、その一端に設けた当接部１４Ａが係止突起部１１Ｂに当接することで、支持部材１１を係止している。
【００１６】
係止部材１４は、係止突起部１１Ｂの突起方向に沿って移動自在となるように、ベース部材２０に支持されている。係止部材１４には、係止突起部１１Ｂの突起方向に沿った長穴１４Ｂが一直線状に一対設けられており、この長穴１４Ｂにベース部材２０に設けた突起２２がそれぞれ係合している。
【００１７】
アクチュエータ１５は、ベース部材２０に支持されており、ベース部材２０に設けた軸２３の周りに回動自在に支持された回動磁石１５Ａと、回動磁石１５Ａに基端側が固定されている作動部１５Ｂと、回動磁石１５Ａを挟むように端部が配置されるＵ字状のヨーク１５Ｃと、ヨーク１５Ｃに巻かれたコイル１５Ｄを備えている。アクチュエータ１５の作動部１５Ｂは、係止部材１４の凹部１４Ｃに平面視において重ならないように係合しており、回動磁石１５Ａが回動して、作動部１５Ｂが揺動することで、係止部材１４は、支持部材１１における係止突起部１１Ｂの突起方向（支持部材１１から離れる方向）に移動する。
【００１８】
カバー１６は、収容部２０Ａを除いて遮蔽機構を平面的に覆っている。これにより、電子機器内で生じたゴミなどの異物が遮蔽機構の内部に侵入することを防いでいる。また、電子機器に圧力が加わり筐体１が変形したときに、変形した筐体１がカメラモジュール１０等と接触しないようにすることもできる。
【００１９】
ベース部材２０は、筐体１の内部おいて、アクチュエータ１５を支持すると共に、支持部材１１を前述したスライド支持部１２にてスライド自在に支持している。また、ベース部材２０は、カメラモジュール１０が筐体１内に収容される際の空間を確保するために、支持部材１１がスライドする方向に沿って凹状に切り欠かれた収容部２０Ａを備えている。この収容部２０Ａは、カメラモジュール１０の光軸方向の厚みが収容部２０Ａ内に入ることで、カメラモジュール１０の光軸方向の厚みとベース部材２０の厚みが重ならないようなっており、これによって遮蔽機構を薄厚にしている。
【００２０】
また、ベース部材２０には、必要に応じてマイク３０が支持されている。マイク３０を設けることで、カメラモジュール１０による画像取得に合わせて音声を取得することができる。そして、支持部材１１は、カメラモジュール１０の収容時にマイク３０の収音部を覆う遮音部１１Ｄを備えている。このような遮音部１１Ｄを設けることで、カメラモジュール１０を筐体１内に収容することで、プライベート音などの音の不正流出を抑止することができる。
【００２１】
このようなカメラモジュール１０の遮蔽機構の動作を説明する。図１に示すように、カメラモジュール１０が筐体１内に収容されている状態で、アクチュエータ１５のコイル１５Ｄに通電すると、図２に示すように矢印方向にアクチュエータ１５の作動部１５Ｂが揺動して、係止部材１４が支持部材１１から離れる方向に移動し、係止部材１４の当接部１４Ａが支持部材１１の係止突起部１１Ｂから外れることになる。
【００２２】
そうすると、支持部材１１が、付勢部材１３の付勢力でスライド支持部１２の溝１２Ａの延設方向に沿ってスライドし、図３に示すように、支持部材１１に支持されたカメラモジュール１０が筐体１の収容口１Ａから外に突出する。この際、支持部材１１は、カメラモジュール１０のレンズ光軸Ｐの向きを維持するように直線的にスライドする。また、 突起１２Ｂが溝１２Ａの端部と接触することで、カメラモジュール１０が必要以上に筐体１から突出しないようになっている。すなわち、溝１２Ａの端部はスライド支持部１２のストッパとして機能する。なお、他の実施例では、スライド支持部１２のストッパを溝１２の端部以外に設けてもよい。
【００２３】
アクチュエータ１５におけるコイル１５Ｄを非通電にすると、アクチュエータ１５の作動部１５Ｂは、図３に示すように、回動磁石１５Ａの磁力で元の状態に復帰する。これによって、係止部材１４は、支持部材１１に近づくように移動することになり、係止部材１４に設けたカム面１４Ｄが、支持部材１１の係止突起部１１Ｂに設けたカム面１１Ｃに当接し、カメラモジュール１０が筐体１から突出した状態で支持部材１１が保持される。
【００２４】
カメラモジュール１０を筐体１内に収容する際には、カメラモジュール１０の天面部１０Ａを手で押して、支持部材１１を溝１２Ａに沿ってスライドさせる。この際、支持部材１１は、付勢部材１３にてカメラモジュール１０を突出させる方向に付勢されており、更に、係止部材１４に設けたカム面１４Ｄが、支持部材１１の係止突起部１１Ｂに設けたカム面１１Ｃに当接していることで、回転磁石１５Ａの磁力によっても保持されている。このため、カメラモジュール１０を筐体１内に収容するには、付勢部材１３の付勢力と回転磁石１５Ａの吸引磁力に抗する力でカメラモジュール１０の天面１０Ａを押し込むことが必要になる。
【００２５】
カメラモジュール１０の天面１０Ａを押し込むと、支持部材１１のカム面１１Ｃが係止部材１４のカム面１４Ｄを押して、係止部材１４を移動させるので、カメラモジュール１０の天面１０Ａが完全に筐体１内に収容された状態では、図１に示すように、係止部材１４の当接部１４Ａが支持部材１１の係止突起部１１Ｂに係止され、支持部材１１は、カメラモジュール１０が筐体１内に収容された状態で保持される。なお、他の実施例では、係止部材１４が適切に元の状態（図１の状態）に復帰するように、バネなどで付勢力や磁石の磁力を利用してもよい。
【００２６】
このような構成を備えるカメラモジュール１０の遮蔽機構は、カメラモジュール１０が筐体１内に収容されることで、カメラモジュール１０におけるレンズ光軸Ｐが遮蔽されると共に、カメラモジュール１０自身が外部から見えなくなる。これにより、電子機器がネットワークに接続されている状態で使用されている場合であっても、カメラモジュール１０を筐体１内に収容しておけば、プライベート画像の流出や不正な画像取得の被害を受けることが無い。また、電子機器を携帯する場合などに、カメラモジュール１０を筐体１内に収容しておけば、意図しない画像が取り込まれて保存されたり、周囲から盗撮のあらぬ疑いをかけられることがない。
【００２７】
また、このような構成を備えるカメラモジュール１０の遮蔽機構は、平板状のベース部材２０の平板面に沿って平板状部材の支持部材１１がスライドする構造であるため、全体構成を薄厚にすることができる。また、このような薄厚な構成とすることで遮蔽機構と、カメラモジュール１０の厚さとの厚みを略同一とすることができる。これによって、厚さ方向のスペース確保が難しい電子機器内において、電子機器内の他の部品の配置スペースを圧迫すること無く、カメラモジュール１０の遮蔽機構を装備することができる。
【００２８】
また、カメラモジュール１０の遮蔽機構におけるアクチュエータ１５は、係止部材１４を僅かに移動させて、係止部材１４による支持部材１１の係止を解除するものであるから、アクチュエータ１５の駆動に要する電力はごく僅かで済む。これによって、消費電力を極力抑えたカメラモジュール１０の遮蔽機構を提供することができる。また、カメラモジュール１０を配置可能な厚さのスペースが確保されていれば、平面のスペースを確保することで、電子機器内のスペースに遮蔽機構を配置することができる。
【００２９】
図４には、前述したカメラモジュール１０の遮蔽機構を備えた電子機器を示している。図示の例の電子機器１００は、筐体１の前面にディスプレイ１０１を備える携帯電子機器である。これによると、カメラモジュール１０は、使用時には筐体１の外側に突出され、非使用時には筐体１の内部に収容されるので、筐体１にカメラモジュール１０のレンズ開口を設けるスペースを確保する必要が無い。このため、図示のように、筐体１の一面のほぼ全体にディスプレイ１０１の表示面を設けることができ、ディスプレイ１０１の表示面積を筐体１の前面に対して最大限に広げることができる。また、 遮蔽機構は薄厚であるため、電子機器１００の厚さの嵩張りを抑えて、遮蔽機構とディスプレイ１０１とを筐体１の内部で重ねて配置することができる。
【００３０】
そして、前述したカメラモジュール１０の遮蔽機構を備える電子機器１００は、プライベート画像の流出や不正な画像取得を抑止して、IoTにおけるセキュリティ対策を強化することができると共に、意図しない画像が取り込まれて保存される可能性を排除することができる。また、カメラモジュール１０が筐体１内に収容されている状態では、周囲から見て電子機器１００のカメラ機能が働いていないことが明らかになるので、携帯用として使用する場合に、盗撮のなどのあらぬ疑いをかけられることがない。
【００３１】
なお、 電子機器１００は、スーマトフォン、タブレット端末だけに限らず、ノート型ＰＣなども含まれる。ノート型ＰＣの場合は、遮蔽機構はディスプレイが設けられる筐体に取り付けられる。また、 電子機器１００がハッキングされカメラモジュール１０がユーザの意図に反して筐体１の外部に飛び出したとしても、ユーザは、非使用時にカメラモジュール１０が突出していることを認知できるので、ユーザは適宜カメラモジュール１０を筐体１の内部に戻す、すなわちカメラモジュール１０による撮影ができない状態に移行させることができる。また、 他の形態では、ユーザが係止部材１４を直接移動させて係止を解除、すなわちカメラモジュール１０が飛び出した状態とすることができる構造にすることができる。
【００３２】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。また、上述の各実施の形態は、その目的及び構成等に特に矛盾や問題がない限り、互いの技術を流用して組み合わせることが可能である。
【符号の説明】
【００３３】
１：筐体，１Ａ：収容口，
１０：カメラモジュール，１０Ａ：天面部，
１１：支持部材，１１Ａ：突起部，１１Ｂ：係止突起部，
１１Ｃ：カム面，１１Ｄ：遮音部，
１２：スライド支持部，１２Ａ：溝，１２Ｂ：突起，
１３：付勢部材，１３Ａ：一端部，１３Ｂ：他端部，
１４：係止部材，１４Ａ：当接部，１４Ｂ：長穴，
１４Ｃ：凹部，１４Ｄ：カム面，
１５：アクチュエータ，１５Ａ：回動磁石，
１５Ｂ：作動部，１５Ｃ：ヨーク，１５Ｄ：コイル，
２０：ベース部材，２０Ａ：収容部，３０：マイク，
２１，２２：突起，２３：軸，１００：電子機器，１０１：ディスプレイ，
Ｐ：レンズ光軸
【図１】
2020140084.tif 000003
【図２】
2020140084.tif 000004
【図３】
2020140084.tif 000005
【図４】
2020140084.tif 000006